(57)【要約】【課題】本考案は、猪に農作物や水仙等が荒らされるのを防ぐ為の、１枚格子型猪撃退具である。【解決手段】本考案の特長は、１の鉄製丸棒格子構造に有る。格子構造材が鉄製で無く、紐網等では、軽く風になびき好ましくなく、猪の力で壊される。また、２の格子棒先端部を鋭くすることや、Ｕ字に曲げ加工することも出来ない。鉄製の丸棒格子構造で、格子棒の直径が２〜６ミリ、格子枡の大きさ８〜１６センチのものが、性能、重さ、加工性等で適している。１枚格子型猪撃退具の難点は、草等が覆いかぶさると、設置場所が分からなくなることである。この欠点を補い、別の効果を持ち合わせた、３の固定目印棒を地面に刺して４のリング等で１枚格子型猪撃退具と一体化し、固定目印棒の上端に５の目印を付けて置けば、猪が警戒して近づかなくなる。また、設置場所が分かり易くなるので仕事がし易い。【選択図】図１
0003141055.tif 000002
【実用新案登録請求の範囲】
【請求項１】
１枚の鉄製丸棒格子、丸棒の直径は２〜６ミリ，格子枡の大きさ８〜１６センチから成る、１枚格子型猪撃退具であり、固定目印棒を、リング等で、１枚格子型猪撃退具に組み合わせることが出来る事を特徴とした、１枚格子型猪撃退具。
【考案の詳細な説明】
【技術分野】
【０００１】  本考案は、農作物を猪から守る為の、猪撃退具に関するものである。
【背景技術】
【０００２】  農作物を猪から守る為の有効な手段が無く、農作物が猪に荒らされる被害を防ぐ為に、トタンや防除網等の設置固定型の防御柵で農作物を囲って、猪の被害を防ごうとしていた。
【考案の開示】
【考案が解決しようとする課題】
【０００３】設置固定型の防御柵で農作物を囲う方法は、その手間と費用が計り知れず、又、猪が痛い思いをすることもないので、防御柵が破られる事もある。本考案はこの様な問題を解決する為に、１枚格子型猪撃退具を考案したものである。
【課題を解決する為の手段】
【０００４】  本考案の１枚格子型猪撃退具の特長は、鉄製の丸棒格子構造に有る。丸棒の直径は２〜６ミリ，格子枡の大きさは８〜１６センチが良く、突き出し格子棒の先端部が鋭いほうが良い。猪が格子に足を入れると格子に足を引っ掛け、また、猪が格子棒先端部で鼻等を痛める等で怖がらせ、農作物や水仙等が猪に荒らされるのを防ぐ、１枚格子型猪撃退具である。また、猪は警戒心が強く学習能力があるので、鉄製丸棒格子本体をＵ型に曲げた、１枚格子型猪撃退具を、地面にＵ字に設置すれば、猪が鼻などを痛め易く、逆さＵ字に設置すれば、猪が格子に足を入れ易いので、猪は怖がってその場を離れ、農作物を守ることができる。又、山裾斜面や凹凸面の多い地形で育つ、水仙の防御対策としては、１枚格子型猪撃退具を平形に用いて、地面と平に設置するだけで効果が出る。
【０００５】１枚格子型猪撃退具の難点は、草等に覆われると、設置場所が分からなくなることである。この欠点を補い、別の効果を合わせて出す為に、黄色、白、赤色などの目立つ色を付着した、固定目印棒を地面に刺し、リング等で１枚格子型猪撃退具と一体化し、固定目印棒の上端に、銀色に光る目印を付けて置けば、猪は警戒して近づかなくなる。また、作業する人も、１枚格子型猪撃退具の設置場所が分かり易くなり、撤去忘れが防げる。
【考案の効果】
【０００６】１枚格子型猪撃退具は地面に置くだけで、その場に来た猪が、突き出し部の痛さや、また、作業する人も、１枚格子型猪撃退具の設置場所が分かり易くなり、撤去忘れが防げる。
【考案の効果】
【０００６】  １枚格子型猪撃退具は地面に置くだけで、その場に来た猪が、突き出し部の痛さや、格子に足を捕られる危険を知り、警戒しその場を離れるので、農作物被害を防げる。尚、従来の設置固定型の防御柵に比べ、取り扱いが簡単なので、猪の被害の発生する、収穫時期に合わせて使うことができる為、他の農作物の対策に流用でき、費用も割安になり、例えば、草刈前に撤去し、草刈後に設置する等の工夫作業で、収穫期を迎えることができる。また、鉄製の丸棒格子構造から成る、１枚格子型猪撃退具は強力で壊されることは無いので、従来型防御柵の門題点を解決している。
【考案を実施する為の最良の形態】
【０００７】  １枚格子型猪撃退具は、猪が足を捕られ易い、格子構造で効果を発揮するものであるが、Ｕ字に曲げ加工し、地面に対して、逆Ｕ形に設置すれば、更にその効果が助長される。また、突き出し格子棒先端部の鋭い、１枚格子型猪撃退具をＵ字形に設置すれば、猪の弱点とされる鼻を痛める効果がある。１枚格子型猪撃退具は、地面に置くだけで考案の実施ができ、取り扱いが簡単である。水仙栽培地の様な急斜面や凹凸の多い場所では、平形での設置でも効果がでる。尚、学習能力が有ると言われている猪から、農作物を守る為や、山から畑への通路阻止の為などに合わせ、設置方法を変えることができる。
【０００８】１枚格子型猪撃退具の難点は、草等が覆いかぶさり、設置場所が分からなくなることである。この欠点を補うことができて、別の効果を持ち合わせた、固定目印棒を地面に刺して１枚格子型猪撃退具とリングなどで一体化し、固定目印棒上端に銀色の目印を付けて置けば、猪は、更に警戒して近づかなくなる。また、１枚格子型猪撃退具の設置場所が分かり易くなり、注意して仕事することが出来る。
【実施例】
【０００９】  １枚格子型猪撃退具は、１の鉄製丸棒格子をＵ形に曲げ加工し、地面に置くだけで考案の実施ができるので、安価で取り扱いが簡単である。また、地形の変化に応じて、Ｕ，逆Ｕ、平形の３種類で使い分けることが出来る。尚、２の格子棒先端部が鋭い１枚格子型猪撃退具を用いれば、猪に対する撃退効果が向上する。【００１０】３は、固定目印棒であり、突き出し格子猪撃退具の格子穴から、６の地面に刺し込み、４のリング等で一体化する。また、固定目印棒の上端に、５の銀色目印を紐で結び付けて置けば目立つので、猪は更に警戒して近づかなくなる。また、作業する人も、１枚格子型猪撃退具の設置が分かり易くなるので、撤去が簡単に行える。
【図面の簡単な説明】
【００１２】１  鉄製丸棒格子、１枚格子型猪撃退具の本体
２  格子棒先端部
３  固定目印棒
４  リング
５  目印
６  地面
【図１】
0003141055.tif 000003
【図２】
0003141055.tif 000004
【図３】
0003141055.tif 000005
【手続補正書】
【提出日】平成20年1月17日(2008.1.17)
【手続補正１】
【補正対象書類名】実用新案登録請求の範囲
【補正対象項目名】全文
【補正方法】変更
【補正の内容】
【実用新案登録請求の範囲】
【請求項１】
１枚の、鉄製丸棒の突き出し格子から成る、１枚格子型猪撃退具。
【請求項２】
請求項１に記載した、１枚格子型猪撃退具であって、Ｕ字型に曲げた、１枚格子型猪撃退具。
【請求項３】
請求項１、または、請求項２のいずれか一項に記載した、１枚格子型猪撃退具であって、突き出し格子棒の先端部を鋭くした、１枚格子型猪撃退具。
【手続補正２】
【補正対象書類名】明細書
【補正対象項目名】全文
【補正方法】変更
【補正の内容】
【考案の詳細な説明】
【技術分野】
【０００１】  本考案は、農作物を猪から守る為の、猪撃退具に関するものである。
【背景技術】
【０００２】  農作物を猪から守る為の有効な手段が無く、農作物が猪に荒らされる被害を防ぐ為に、トタンや防除網等の設置固定型の防御柵で農作物を囲って、猪の被害を防ごうとしていた。
【考案の開示】
【考案が解決しようとする課題】
【０００３】設置固定型の防御柵で農作物を囲う方法は、その手間と費用が計り知れず、又、猪が痛い思いをすることもないので、防御柵が破られる事もある。本考案はこの様な問題を解決する為に、１枚格子型猪撃退具を考案したものである。
【課題を解決する為の手段】
【０００４】  本考案の１枚格子型猪撃退具の特長は、鉄製の丸棒格子構造に有る。丸棒の直径は２〜６ミリ，格子枡の大きさは８〜１６センチが良く、突き出し格子棒の先端部が鋭いほうが良い。猪が格子に足を入れると格子に足を引っ掛け、また、猪が格子棒先端部で鼻等を痛める等で怖がらせ、農作物や水仙等が猪に荒らされるのを防ぐ、１枚格子型猪撃退具である。また、猪は警戒心が強く学習能力があるので、鉄製丸棒格子本体をＵ型に曲げた、１枚格子型猪撃退具を、地面にＵ字に設置すれば、猪が鼻などを痛め易く、逆さＵ字に設置すれば、猪が格子に足を入れ易いので、猪は怖がってその場を離れ、農作物を守ることができる。又、山裾斜面や凹凸面の多い地形で育つ、水仙の防御対策としては、１枚格子型猪撃退具を平形に用いて、地面と平に設置するだけで効果が出る。
【０００５】１枚格子型猪撃退具の難点は、草等に覆われると、設置場所が分からなくなることである。この欠点を補い、別の効果を合わせて出す為に、黄色、白、赤色などの目立つ色を付着した、固定目印棒を地面に刺し、リング等で１枚格子型猪撃退具と一体化し、固定目印棒の上端に、銀色に光る目印を付けて置けば、猪は警戒して近づかなくなる。また、作業する人も、１枚格子型猪撃退具の設置場所が分かり易くなり、撤去忘れが防げる。
【考案の効果】
【０００６】  １枚格子型猪撃退具は地面に置くだけで、その場に来た猪が、突き出し部の痛さや、格子に足を捕られる危険を知り、警戒しその場を離れるので、農作物被害を防げる。尚、従来の設置固定型の防御柵に比べ、取り扱いが簡単なので、猪の被害の発生する、収穫時期に合わせて使うことができる為、他の農作物の対策に流用でき、費用も割安になり、例えば、草刈前に撤去し、草刈後に設置する等の工夫作業で、収穫期を迎えることができる。また、鉄製の丸棒格子構造から成る、１枚格子型猪撃退具は強力で壊されることは無いので、従来型防御柵の門題点を解決している。
【考案を実施する為の最良の形態】
【０００７】  １枚格子型猪撃退具は、猪が足を捕られ易い、格子構造で効果を発揮するものであるが、Ｕ字に曲げ加工し、地面に対して、逆Ｕ形に設置すれば、更にその効果が助長される。また、突き出し格子棒先端部の鋭い、１枚格子型猪撃退具をＵ字形に設置すれば、猪の弱点とされる鼻を痛める効果がある。１枚格子型猪撃退具は、地面に置くだけで考案の実施ができ、取り扱いが簡単である。水仙栽培地の様な急斜面や凹凸の多い場所では、平形での設置でも効果がでる。尚、学習能力が有ると言われている猪から、農作物を守る為や、山から畑への通路阻止の為などに合わせ、設置方法を変えることができる。
【０００８】１枚格子型猪撃退具の難点は、草等が覆いかぶさり、設置場所が分からなくなることである。この欠点を補うことができて、別の効果を持ち合わせた、固定目印棒を地面に刺して１枚格子型猪撃退具とリングなどで一体化し、固定目印棒上端に銀色の目印を付けて置けば、猪は、更に警戒して近づかなくなる。また、１枚格子型猪撃退具の設置場所が分かり易くなり、注意して仕事することが出来る。
【実施例】
【０００９】  １枚格子型猪撃退具は、１の鉄製丸棒格子をＵ形に曲げ加工し、地面に置くだけで考案の実施ができるので、安価で取り扱いが簡単である。また、地形の変化に応じて、Ｕ，逆Ｕ、平形の３種類で使い分けることが出来る。尚、２の格子棒先端部が鋭い１枚格子型猪撃退具を用いれば、猪に対する撃退効果が向上する。【００１０】３は、固定目印棒であり、突き出し格子猪撃退具の格子穴から、６の地面に刺し込み、４のリング等で一体化する。また、固定目印棒の上端に、５の銀色目印を紐で結び付けて置けば目立つので、猪は更に警戒して近づかなくなる。また、作業する人も、１枚格子型猪撃退具の設置が分かり易くなるので、撤去が簡単に行える。
【図面の簡単な説明】
【００１１】
【図１】本考案の、１枚格子型猪撃退具の立面図である。
【図２】１枚格子型猪撃退具の正面図である。
【図３】１枚格子型猪撃退具の立面図である。
【符号の説明】
【００１２】１  鉄製丸棒格子、１枚格子型猪撃退具の本体
２  格子棒先端部
３  固定目印棒
４  リング
５  目印
６  地面